(57)【要約】【課題】編集時の作業性を向上させることができ、カセットを保存する際の棚等への収納性も良好にできるカセット収納ケースの提供を課題とする。【解決手段】周壁３４の内側にカセット４０を収納するカセット収納ケース１０において、周壁３４に掛具１２を設ける。そして、その掛具１２を折り畳み可能とし、更に取り外し可能とする。【選択図】　　　図３
2004131107.tif 000002
【特許請求の範囲】
【請求項１】
周壁の内側にカセットを収納するカセット収納ケースにおいて、
前記周壁に掛具を設けたことを特徴とするカセット収納ケース。
【請求項２】
前記掛具は折り畳み可能であることを特徴とする請求項１に記載のカセット収納ケース。
【請求項３】
前記掛具は取り外し可能であることを特徴とする請求項１又は２に記載のカセット収納ケース。
【発明の詳細な説明】
【０００１】
【発明の属する技術分野】
本発明は、記録媒体としてのテープカセット等を収納するカセット収納ケースに関する。
【０００２】
【従来の技術】
従来、コンピューター等の外部記録媒体として、リールに巻装された磁気テープをケース内に回転可能に収容してなるテープカセットが知られており、１リールタイプや２リールタイプ等、様々なテープカセットが実用化されている。また、近来では円板状のディスクメディアをケース内に回転可能に収容してなるディスクカートリッジ等も知られており、様々な記録方式及びディスク径のディスクカートリッジが実用化されている。
【０００３】
そして、このような記録媒体用のテープカセットやディスクカートリッジ（以下、総称して「カセット」という場合がある）は、一般に合成樹脂製のカセット収納ケース（ハードケース）に収納され、ユーザーによるハンドリング時や輸送（運搬）時の振動及び落下、保管時の外荷重などから保護されるようになっている。
【０００４】
カセット収納ケースは、カセットを収納可能なベース部と、カセットを収納した状態のベース部を覆うカバー部とを有しており、特にコンピューター用のテープカセットや業務用のビデオ製品（テープカセット）を収納する場合には、製造コスト及び保護性の観点から、ポリプロピレン（ＰＰ）製のカセット収納ケースが採用されることが多い。
【０００５】
すなわち、ポリプロピレン（ＰＰ）は製造コストが安価であり、衝撃吸収性（耐衝撃性）が良好であるため、保護性が高く、更に可撓性が良好であるため、ベース部とカバー部とを屈曲可能（相対的に回動可能）に連結した状態に一体成形して、開閉自在に構成することが容易にできる。よって、記録媒体用のカセットはポリプロピレン（ＰＰ）製のカセット収納ケース（ハードケース）に収納されて保管（保存）されることが多く、使用時には、そこから出し入れされて、編集作業等が行われる（例えば特許文献１、特許文献２参照）。
【０００６】
【特許文献１】
特開２０００−１４２８７１公報
【特許文献２】
特開２０００−６２８８５公報
【０００７】
【発明が解決しようとする課題】
しかしながら、業務用のビデオ製品（テープカセット）のように、主に放送局等で使用されるカセットの場合は、取材、編集、保存などに頻繁に使用され、特に編集作業では、多くのカセット及びカセット収納ケース（カセット入り又は空のハードケース）を積み上げて作業することが多いため、机上が煩雑になったり、所望とするカセット又はそのカセットが入ったカセット収納ケース（ハードケース）を見つけ難い状況が生じたりすることがあった。
【０００８】
そこで、本発明は、上記事情に鑑み、編集時の作業性を向上させ、かつ編集後にカセットを保管（保存）するときも、棚等への収納性を良好にしたカセット収納ケースを得ることを目的とする。
【０００９】
【課題を解決するための手段】
上記の目的を達成するために、本発明に係る請求項１に記載のカセット収納ケースは、周壁の内側にカセットを収納するカセット収納ケースにおいて、前記周壁に掛具を設けたことを特徴としている。
【００１０】
請求項１に記載のカセット収納ケースは、周壁に設けられた掛具によって、突張棒のような棒状のものに掛けて吊すことができる。したがって、今までのように、机上が煩雑になったり、所望とするカセットが見つかり難いなどという問題を解消することができる。すなわち、カセット及びカセット収納ケースの整理がしやすくなるので、編集時の作業性を向上させることができる。
【００１１】
また、請求項２に記載のカセット収納ケースは、請求項１に記載のカセット収納ケースにおいて、前記掛具が折り畳み可能であることを特徴としている。
【００１２】
請求項２に記載のカセット収納ケースは、掛具が折り畳み可能になっているので、棚等へ収納する際に、その掛具が邪魔になることはない。つまり、今までのカセット収納ケースと同様に、棚等への収納性も良好になっている。
【００１３】
更に、請求項３に記載のカセット収納ケースは、請求項１又は２に記載のカセット収納ケースにおいて、前記掛具が取り外し可能であることを特徴としている。
【００１４】
請求項３に記載のカセット収納ケースは、掛具が取り外し可能になっているので、棚等へ収納する際には、その掛具を取り外してしまえばよく、今までのカセット収納ケースと同様に、棚等への収納性が良好になっている。
【００１５】
【発明の実施の形態】
以下、本発明の実施の形態を図１乃至図５に示す実施例を基に詳細に説明する。なお、本実施例において、カセット収納ケース１０に収納するカセットとしては、記録媒体としての磁気テープの両端部が、それぞれ異なるリール（図示省略）に取り付けられ、通常は一方のリールにほぼ全ての磁気テープが巻回されて保管される、いわゆる２リールタイプのテープカセット４０を例にとる。また、カセット収納ケース１０にテープカセット４０を収納して閉じたときの図１で示す矢印Ａ方向を前方向とし、矢印Ｂ方向を右方向として、前後左右の表現をする。
【００１６】
カセット収納ケース１０は、例えばポリプロピレン（ＰＰ）のような可撓性及び衝撃吸収性（耐衝撃性）の良好な合成樹脂材料により、全体が一体成形されて構成されており、図１で示すように、ベース部２０とカバー部３０とを備えている。ベース部２０は平面視矩形状に形成された底板２２を備え、この底板２２の周縁部よりも若干内側には、平面視矩形枠状に形成された枠壁２４が立設されている。そして、この枠壁２４の内側にテープカセット４０が収納されるようになっている。
【００１７】
また、枠壁２４はテープカセット４０の高さよりも低く設定されており、ベース部２０に対するテープカセット４０の出し入れの際に、テープカセット４０を把持しやすいようになっている。そして、枠壁２４よりも外方側の周縁部（図２で示す後縁部２２Ａは除く）は、後述するカバー部３０の外壁３４の端面３４Ｃが当接するストッパー部２３とされている。また、枠壁２４の前側両端近傍には、それぞれ内方側に向かって略三角柱状に凹んだ係合凹部２６が形成されており、後述するカバー部３０の係合爪３６がその係合凹部２６に係合（嵌合）することにより、ベース部２０とカバー部３０とがロックされるようになっている。
【００１８】
一方、図２で示すように、底板２２の後縁部２２Ａには、背壁２８の下縁部２８Ａが薄肉部２７を介して一体に連設されており、その背壁２８の上縁部２８Ｂには、後述するカバー部３０の天板３２の後縁部３２Ａが薄肉部２９を介して一体に連設されている。薄肉部２７は、底板２２の後縁部２２Ａと背壁２８の下縁部２８Ａが、それぞれ側面視で内側がテーパー状に形成されて薄肉とされ、同様に、薄肉部２９は、天板３２の後縁部３２Ａと背壁２８の上縁部２８Ｂが、それぞれ側面視で内側がテーパー状に形成されて薄肉とされている。したがって、カバー部３０は、薄肉部２７、２９によってベース部２０に対して屈曲可能（相対的に回動可能）にヒンジされる構成となっている。
【００１９】
また、図１で示すように、カバー部３０の天板３２は、底板２２に対応した平面視矩形状となっており、その天板３２の後縁部３２Ａを除く３方の辺縁部よりも若干内側には、底面視で略「コ」字状となる外壁３４が立設されている。つまり、この外壁３４は、互いに対向する一対の左右側壁３４Ａと、背壁２８と対向する（前側に位置する）前壁３４Ｂとで構成されており、各側壁３４Ａ及び前壁３４Ｂの高さは背壁２８の高さと同等とされている。そして、各側壁３４Ａ及び前壁３４Ｂの内面には、ベース部２０の枠壁２４に形成された凹部２５に係合する補強用リブ３５が、所定間隔を隔てて２本ずつ突設されている。
【００２０】
また、左右の側壁３４Ａの後端部には、外方に向かって直角に屈曲された張出壁３７が形成されており、背壁２８の左右両端部近傍（左右の辺縁部よりも若干内側）には、背壁２８の短辺と平行なリブ３８が突設されている。そして、前壁３４Ｂ内面の両端部近傍には略三角柱状の係合爪３６が突設されており、カバー部３０をベース部２０に被覆して蓋をしたとき、この係合爪３６が係合凹部２６に係合（嵌合）することにより、両者がロックされるようになっている。
【００２１】
つまり、カセット収納ケース１０は、天板３２と底板２２とが対向した状態で、外壁３４が枠壁２４の外側を３方から被覆し、その外壁３４の端面３４Ｃが底板２２のストッパー部（周縁部）２３に当接するとともに、張出壁３７がリブ３８より外方側の背壁２８の辺縁部に当接することにより、ベース部２０に対するカバー部３０のそれ以上の回動が阻止される構成になっており、更にカバー部３０の各係合爪３６がそれぞれ対応するベース部２０の係合凹部２６に係合（嵌合）することにより、閉塞状態が維持される（ロック状態となる）構成になっている。
【００２２】
こうして、カセット収納ケース１０が閉じられて（ロックされて）、ベース部２０とカバー部３０との間（互いに対向する底板２２及び天板３２と、枠壁２４及び外壁３４とで囲まれる空間内）にテープカセット４０が収納されるが、このカセット収納ケース１０の閉塞状態（ロック状態）は、所定値以上の力で、カバー部３０をベース部２０に対して、閉じた（ロックした）ときとは反対方向に回動させることによって、簡単に解除される構成になっている。
【００２３】
以上のような構成のカセット収納ケース１０において、左右どちらか一方の側壁３４Ａの外面略中央には、図１、図３で示すように、掛具としてのフック１２が設けられている。このフック１２は、カセット収納ケース１０と同じポリプロピレン（ＰＰ）製で、側壁３４Ａと一体に成形されており、突張棒等の棒状のものに掛けるときに、各種ラベル１８が設けられる底板２２、背壁２８、天板３２の各外面側が手前から見えるように、その開放されている先端１２Ａが前壁３４Ｂ側を向くように設けられている。
【００２４】
また、このフック１２は、図４で示すように、外壁３４よりも外側の天板３２（底板２２）周縁部（張出壁３７）の幅Ｗと同じか、それよりも薄い平板状に成形されており、側壁３４Ａとの連設部分は、それよりも更に薄い薄肉部１４とされている。すなわち、この薄肉部１４は、側壁３４Ａから所定高さ（例えばＪ＝１．５ｍｍ）まで形成され、正（背）面視で側壁３４Ａに向かうに従って薄くなるテーパー面１５と、テーパー面１５から連続する円弧面１６と、円弧面１６から連続する垂直面１７とで構成されている。
【００２５】
側壁３４Ａと連設する垂直面１７は、厚さＤが、例えばＤ＝０．３ｍｍ程度に形成され、高さＨが、例えばＨ＝０．３ｍｍ程度に形成されて構成され、円弧面１６は、その径Ｒが、例えばＲ＝０．２ｍｍ程度に形成されて構成されている。したがって、フック１２は、その薄肉部１４（垂直面１７部分）をヒンジとして折り畳み可能になっており、折り畳んだときには、その側面１２Ｂが、正（背）面視で天板３２（底板２２）の周縁部から外側へ、はみ出さないように（突出しないように）なっている（図５参照）。
【００２６】
よって、出荷時にカセット収納ケース１０をラップ包装する場合には、フック１２が邪魔になるような不具合はなく、今までのカセット収納ケースと同様に、良好にラップ包装することができる。そして、棚等へ収納して保管する場合も、フック１２を折り畳むことにより、今までのカセット収納ケースと同様に、良好に収納することができる。
【００２７】
なお、上記したように、薄肉部１４に円弧面１６を形成すると、折り畳み頻度による劣化（亀裂等の発生）を抑制できるので好ましい。すなわち、テーパー面１５から連続して垂直面１７が形成されていると、折り畳み頻度により、その境界部分に応力が作用して亀裂等が発生するおそれがあるが、テーパー面１５と垂直面１７との間に円弧面１６が形成され、テーパー面１５（円弧面１６）と垂直面１７との境界部分が、正（背）面視で直角になるように形成されると、その境界部分には応力が作用しなくなるので、折り畳み頻度による亀裂等の発生を抑制することができる。したがって、折り畳み時や吊り下げ時に、その境界部分から切れてしまうような不具合は起きない。
【００２８】
また、フック１２を設ける位置は、図５（Ａ）で示すように、側壁３４Ａの略中央でもよいし、図５（Ｂ）で示すように、側壁３４Ａの天板３２側あるいはストッパー部２３に当接する端面３４Ｃ側でもよい。側壁３４Ａの略中央にフック１２を設けると、フック１２を側壁３４Ａの天板３２側あるいは端面３４Ｃ側の両方に折り畳むことができる利点があり、側壁３４Ａの天板３２側あるいは端面３４Ｃ側にフック１２を設けると、フック１２の高さを側壁３４Ａの幅と略同等の大きさに（側壁３４Ａの略中央に設ける場合よりも大きく）成形することができる利点がある。また更に、フック１２を設ける位置は、左右の側壁３４Ａのどちらか一方に限定されるものではなく、左右の側壁３４Ａの両方に設けてもよいし、若干前壁３４Ｂ側に架かるようなコーナー部等に設けてもよい。
【００２９】
また、このフック１２は薄肉部１４によって側壁３４Ａに連設されているだけなので、ハサミ等でその薄肉部１４（特に垂直面１７部分）を容易に切断することができ、かつハサミ等を使わなくても、手指等によって薄肉部１４に所定値以上の力を加えれば、その薄肉部１４（特に垂直面１７部分）を簡単に切断することができる（フック１２を手指等で簡単に側壁３４Ａから引きちぎることができる）。したがって、半永久的にカセットを保存する場合等、編集作業を行わないような場合には、そのフック１２を側壁３４Ａから取り外す（切り離す）ことにより、今までのカセット収納ケースと同様に、棚等へ良好に収納して保存（保管）することができる。
【００３０】
つまり、フック１２が設けられたカセット収納ケース１０でも、そのフック１２を折り畳んだり、（切断等して）取り外すことができるので、今までのカセット収納ケースと同様に取り扱うことが可能となる。したがって、今までのカセット収納ケースを保管していた棚と同じ棚に収納することができ、その収納性を良好なものとすることができる。
【００３１】
また、薄肉部１４（特に垂直面１７部分）には、側壁３４Ａからの切り離し（切断）が容易になるようなハーフカットやミシン目等を設けるようにしてもよいが、上記したような円弧面１６を形成して垂直面１７部分よりも上側を若干肉厚にする（補強する）と、手指等でフック１２を側壁３４Ａから引き裂く（引きちぎる）とき、できるだけ側壁３４Ａに近い垂直面１７の根元部分から切断することができるようになる。したがって、フック１２を取り外した（切り離した）後のカセット収納ケース１０の外観を損ねるような不具合も起きない。
【００３２】
次に、本実施の形態の作用を説明する。カセット収納ケース１０は、通常ラップ包装されて出荷される。このとき、フック１２は折り畳まれた状態になるが、フック１２の厚さは、外壁３４より外側の天板３２（底板２２）周縁部の幅Ｗ以下なので、カセット収納ケース１０から突出することはなく、今までのカセット収納ケースと同様に好適にラップ包装される。
【００３３】
こうして出荷されたカセット収納ケース１０は、ユーザーによってラップ包装が剥がされる。そして、係合凹部２６に対する係合爪３６の係合（嵌合）を解除するように、カバー部３０をベース部２０から所定値以上の力で引き離す。すると、カセット収納ケース１０が開封され、中のテープカセット４０が取り出せる状態となり、テープカセット４０が使用可能状態となる。
【００３４】
一方、テープカセット４０をカセット収納ケース１０内に収納するときには、ベース部２０の枠壁２４内にテープカセット４０を挿入し、カバー部３０をベース部２０に被覆して、係合凹部２６に係合爪３６を係合（嵌合）させてロックする。そして、編集作業等で、まだテープカセット４０を使用する場合には、フック１２を起立させ、任意の位置に設けた突張棒等に引っ掛けて吊しておく。これにより、テープカセット４０（カセット収納ケース１０）の整理がしやすくなり、所望とするテープカセット４０を見つけやすくなる。したがって、編集時の作業性を向上させることができる。
【００３５】
また、編集作業が終了し、テープカセット４０が収納されたカセット収納ケース１０を棚等に保管する際には、フック１２を薄肉部１４から折り曲げて畳むか、又は半永久的にテープカセット４０を保存する場合（テープカセット４０に対して編集作業を行わないような場合）には、薄肉部１４を切断してフック１２を取り外す。これによって、今までと同様にカセット収納ケース１０を取り扱うことが可能となり、今まで使用していた棚等にカセット収納ケース１０を収納して保管することができる。したがって、その収納性を良好なものとすることができる。
【００３６】
なお、本発明に係る掛具（フック１２）の形状や材質等は、上記実施例で示したものに限定されるものではなく、編集作業時には、棒状のものなどに好適に引っ掛けて吊すことができ、棚等への収納時には、折り畳めたり、取り外す（切断するだけではなく、任意の手段により着脱可能に構成されているものも含む）ことができて、邪魔にならないように処置できる機能を有していれば、その形状や材質等は適宜設計変更して構わない。ただし、カセット収納ケース１０と同じ材質（ポリプロピレン（ＰＰ））で、それと一体に成形すると、製造コストを安価にできる利点がある。
【００３７】
また、上記実施例で示したカセット収納ケース１０は、枠壁２４と背壁２８とが独立した形状になっているが、背壁２８が枠壁２４の後側を兼ねるような形状としてもよい。また更に、上記実施例で示したカセット収納ケース１０は、磁気テープを記録媒体とした２リールタイプのテープカセット４０を収納するケースであるが、カセット収納ケース１０は、これに限定されるものではなく、例えば磁気テープを巻装した単一のリールを有する１リールタイプのテープカセット（記録テープカートリッジ）を収納するケースや円板状のディスクメディアを記録媒体としたディスクカートリッジを収納するケースでも、本発明に係る掛具（フック１２）を同様に適用することができる。
【００３８】
【発明の効果】
以上、何れにしても本発明によれば、周壁に設けられた掛具によって、カセット収納ケースの整理がしやすくなるので、編集時の作業性を向上させることができる。また、掛具が折り畳み可能になっていたり、取り外し可能になっているので、棚等へ収納する際にも、その掛具が邪魔になることはない。つまり、今までのカセット収納ケースと同様に棚等への収納が良好にできる。
【図面の簡単な説明】
【図１】本発明に係るカセット収納ケースとテープカセットを示す概略斜視図
【図２】本発明に係るカセット収納ケースのヒンジ部分を示す概略側面図
【図３】本発明に係るカセット収納ケースの概略斜視図
【図４】本発明に係るカセット収納ケースの要部拡大説明図
【図５】本発明に係るカセット収納ケースの折り畳まれたフック（掛具）を示す説明図
【符号の説明】
１０　カセット収納ケース
１２　フック（掛具）
１４　薄肉部
２０　ベース部
２２　底板
２４　枠壁
２６　係合凹部
２８　背壁
３０　カバー部
３２　天板
３４　外壁（周壁）
３６　係合爪
４０　テープカセット（カセット）
【図１】
2004131107.tif 000003
【図２】
2004131107.tif 000004
【図３】
2004131107.tif 000005
【図４】
2004131107.tif 000006
【図５】
2004131107.tif 000007